(57)【特許請求の範囲】
【請求項１】
段階的な複数の燃焼位置で燃焼可能な、複数の段階値制御ボイラからなるボイラ群と、
前記ボイラ群において生成された蒸気を集合させる蒸気ヘッダと、
前記蒸気ヘッダの内部の蒸気圧に基づいて要求負荷に応じた前記ボイラ群の必要蒸気量を算出し、該算出された必要蒸気量に基づいて前記複数の段階値制御ボイラの燃焼状態を制御する制御部と、を備えるボイラシステムであって、
前記制御部は、
前記ボイラ群の台数制御始動時に、少なくとも１台の段階値制御ボイラを、燃焼を停止することなく燃焼量の減少を可能とする負荷追従用ボイラとして設定する負荷追従用ボイラ初期設定部と、
前記ボイラ群の前記複数の段階値制御ボイラそれぞれにおける前記複数の燃焼位置に燃焼優先順位を予め設定する燃焼優先順位初期設定部と、
所定時間内に前記ボイラ群が出力した出力蒸気量の最大値と最小値との差である最大変動量が、負荷追従用ボイラの所定の燃焼位置における出力蒸気量と最低燃焼位置における出力蒸気量との差分である負荷追従変動可能量を上回るか、又は前記負荷追従変動可能量以上となる状態が発生したか否かを判定する第１判定部と、
前記第１判定部により、前記最大変動量が前記負荷追従変動可能量を上回るか、又は前記負荷追従変動可能量以上となる状態が発生したと判定した場合、負荷追従用ボイラの台数を増加させる負荷追従用ボイラ台数制御部と、
前記負荷追従用ボイラ台数制御部により、負荷追従用ボイラの台数を増加させる場合、前記ボイラ群の前記複数の段階値制御ボイラの燃焼優先順位を変更する燃焼優先順位変更制御部と、
を備えるボイラシステム。
【請求項２】
前記負荷追従用ボイラ台数制御部は、さらに
前記第１判定部により、最大変動量が前記負荷追従変動可能量を上回るか、又は前記負荷追従変動可能量以上となる状態が発生したと判定した場合であって、かつ負荷追従用ボイラの増加後の台数が所定のボイラ台数を超えない場合に、前記ボイラ群の負荷追従用ボイラに設定されていないボイラの中でいずれかのボイラを負荷追従用ボイラとして新たに設定する、請求項１に記載のボイラシステム。
【請求項３】
前記第１判定部は、さらに、
前記最大変動量が、前記負荷追従用ボイラから優先順位が最下位の負荷追従用ボイラを除く負荷追従用ボイラの負荷追従変動可能量を下回るか、又は前記負荷追従変動可能量以下となる状態が発生したか否かを判定し、
負荷追従用ボイラ台数制御部は、さらに、
前記第１判定部により、前記最大変動量が前記負荷追従変動可能量を下回るか、又は前記負荷追従変動可能量以下となる状態が発生したと判定した場合であって、前記ボイラ群に含まれる負荷追従用ボイラの台数が２以上の場合、前記負荷追従用ボイラから選択された１台のボイラから負荷追従用ボイラとしての設定を外し、
前記燃焼優先順位変更制御部は、さらに、
前記負荷追従用ボイラ台数制御部により、負荷追従用ボイラの台数を減少させる場合、前記ボイラ群の前記複数の段階値制御ボイラの燃焼優先順位を変更する、
請求項１又は請求項２に記載のボイラシステム。
【請求項４】
前記負荷追従用ボイラが、高燃焼位置、低燃焼位置、燃焼停止位置の３位置制御ボイラの場合、前記負荷追従変動可能量は、前記負荷追従用ボイラの前記高燃焼位置における出力蒸気量と前記低燃焼位置における出力蒸気量との差分である、請求項１乃至請求項３のいずれか１項に記載のボイラシステム。
【請求項５】
前記負荷追従用ボイラが、高燃焼位置、中燃焼位置、低燃焼位置、燃焼停止位置の４位置制御ボイラの場合、前記負荷追従変動可能量は、前記負荷追従用ボイラの前記中燃焼位置における出力蒸気量と前記低燃焼位置における出力蒸気量との差分である、請求項１乃至請求項３のいずれか１項に記載のボイラシステム。
【請求項６】
段階的な複数の燃焼位置で燃焼可能な、複数の段階値制御ボイラからなるボイラ群と、
前記ボイラ群において生成された蒸気を集合させる蒸気ヘッダと、
前記蒸気ヘッダの内部の蒸気圧に基づいて要求負荷に応じた前記ボイラ群の必要蒸気量を算出し、該算出された必要蒸気量に基づいて前記複数の段階値制御ボイラの燃焼状態を制御する制御部と、を備えるボイラシステムであって、
前記制御部は、
前記ボイラ群の前記複数の段階値制御ボイラそれぞれにおける前記複数の燃焼位置に燃焼優先順位を予め設定する燃焼優先順位初期設定部と、
前記ボイラ群の台数制御始動時に、少なくとも１台の段階値制御ボイラを、燃焼を停止することなく燃焼量の減少を可能とする負荷追従用ボイラとして設定する負荷追従用ボイラ初期設定部と、
特定のボイラにおいて所定時間内に燃焼及び停止を所定回数繰り返す状態が発生したか否かを判定する第２判定部と、
前記第２判定部により、前記状態が発生したと判定した場合、負荷追従用ボイラの台数を増加させる負荷追従用ボイラ台数制御部と、
前記負荷追従用ボイラ台数制御部により、負荷追従用ボイラの台数を増加させる場合、前記ボイラ群の前記複数の段階値制御ボイラの燃焼優先順位を変更する燃焼優先順位変更制御部と、
を備えるボイラシステム。
【請求項７】
前記負荷追従用ボイラ台数制御部は、さらに
前記第２判定部により、特定のボイラにおいて所定時間内に燃焼及び停止を所定回数繰り返す状態が発生したと判定した場合であって、かつ負荷追従用ボイラの増加後の台数が所定のボイラ台数を超えない場合に、前記ボイラ群の負荷追従用ボイラに設定されていないボイラの中でいずれかのボイラを負荷追従用ボイラとして新たに設定する、請求項６に記載のボイラシステム。
【請求項８】
前記制御部は、さらに、
負荷追従用ボイラとして設定されたボイラが、所定の燃焼位置で燃焼する状態が所定時間以上継続する状態が発生したか否かを判定する第３判定部を備え、
前記負荷追従用ボイラ台数制御部は、さらに、
前記第３判定部により、前記状態が発生したと判定した場合であって、かつ負荷追従用ボイラの台数が２以上の場合、前記負荷追従用ボイラから選択された１台のボイラから負荷追従用ボイラとしての設定を外し、
燃焼優先順位変更制御部は、さらに、
前記負荷追従用ボイラ台数制御部により、負荷追従用ボイラの台数を減少させる場合、前記ボイラ群の前記複数の段階値制御ボイラの燃焼優先順位を変更する、
請求項６又は請求項７に記載のボイラシステム。
【請求項９】
前記制御部は、さらに、
負荷追従用ボイラを所定の燃焼位置において燃焼させたと仮定した場合、又は負荷追従用ボイラを１台増加すると仮定し、当該増加される負荷追従用ボイラを所定の燃焼位置において燃焼させたと仮定した場合に、前記ボイラ群のすべての燃焼中のボイラが最大燃焼位置で燃焼する余力ゼロ状態になるか否かを判断する余力判定部と、
前記余力判定部が余力ゼロ状態になると判定した場合、前記ボイラ群のうち、燃焼停止ボイラを、最低燃焼位置で燃焼させるボイラとして追加する最低燃焼ボイラ追加部と、
を備え、
前記燃焼優先順位変更制御部は、さらに
前記最低燃焼ボイラ追加部により、燃焼停止ボイラを最低燃焼位置で燃焼させるボイラとして追加する場合、前記ボイラ群の前記複数の段階値制御ボイラの燃焼優先順位を変更する、請求項１乃至請求項８に記載のボイラシステム。
【発明の詳細な説明】
【技術分野】
【０００１】
本発明は、複数の段階的な燃焼位置で燃焼可能な段階値制御ボイラを複数有するボイラ群を備えるボイラシステムに関する。
【背景技術】
【０００２】
従来より、例えば、ボイラ効率が最も高くなる負荷率であるエコ運転ポイントが低燃焼位置である場合、又は大きな負荷増加に備えて余力蒸気量を大きく確保するような設定とした場合、ボイラ群の台数制御として、低燃焼位置で燃焼させる低燃焼ボイラを多く確保するような制御が行われる（特許文献１）。具体的には、１台目低燃焼、２台目低燃焼、３台目低燃焼、というように、先ずは低燃焼ボイラのみを確保する動作となる。
こうすることで、蒸気使用量が急激に増加する場合には、燃焼位置を低燃焼位置から中燃焼位置又は高燃焼位置に変更することにより、負荷追従することを可能としている。
【先行技術文献】
【特許文献】
【０００３】
【特許文献１】特開２０１２−２５１７２１号公報
【発明の概要】
【発明が解決しようとする課題】
【０００４】
しかしながら、このように、低燃焼位置で燃焼させる低燃焼ボイラを多く確保するような制御の場合、逆に低負荷状態における負荷変動に対しては、低燃焼ボイラしか存在しないため、負荷減少に対しては、低燃焼ボイラを待機、負荷増加に対しては待機ボイラを低燃焼とするような燃焼と待機でしか、負荷追従できないため、結果的にボイラの発停が数多く発生することとなる。そうすると、低負荷時のシステム効率が悪くなるとともに、ボイラ発停が多く発生することとなり、ボイラ部品消耗等の問題が発生する恐れがある。
【０００５】
本発明は、低負荷状態における負荷変動に対しても、システム効率を向上させることのできるボイラシステムを提供することを目的とする。
【課題を解決するための手段】
【０００６】
本発明は、段階的な複数の燃焼位置で燃焼可能な、複数の段階値制御ボイラからなるボイラ群と、前記ボイラ群において生成された蒸気を集合させる蒸気ヘッダと、前記蒸気ヘッダの内部の蒸気圧に基づいて要求負荷に応じた前記ボイラ群の必要蒸気量を算出し、該算出された必要蒸気量に基づいて前記複数の段階値制御ボイラの燃焼状態を制御する制御部と、を備えるボイラシステムであって、前記制御部は、前記ボイラ群の台数制御始動時に、少なくとも１台の段階値制御ボイラを、燃焼を停止することなく燃焼量の減少を可能とする負荷追従用ボイラとして設定する負荷追従用ボイラ初期設定部と、前記ボイラ群の前記複数の段階値制御ボイラそれぞれにおける前記複数の燃焼位置に燃焼優先順位を予め設定する燃焼優先順位初期設定部と、所定時間内に前記ボイラ群が出力した出力蒸気量の最大値と最小値との差である最大変動量が、負荷追従用ボイラの所定の燃焼位置（中燃焼又は高燃焼）における出力蒸気量と最低燃焼位置における出力蒸気量との差分である負荷追従変動可能量を上回るか、又は前記負荷追従変動可能量以上となる状態が発生したか、否かを判定する第１判定部と、前記第１判定部により、前記最大変動量が前記負荷追従変動可能量を上回るか、又は前記負荷追従変動可能量以上となる状態が発生したと判定した場合、負荷追従用ボイラの台数を増加させる負荷追従用ボイラ台数制御部と、前記負荷追従用ボイラ台数制御部により、負荷追従用ボイラの台数を増加させる場合、前記ボイラ群の前記複数の段階値制御ボイラの燃焼優先順位を変更する燃焼優先順位変更制御部と、を備えるボイラシステムに関する。
【０００７】
また、前記負荷追従用ボイラ台数制御部は、さらに、前記第１判定部により、最大変動量が前記負荷追従変動可能量を上回るか、又は前記負荷追従変動可能量以上となる状態が発生したと判定した場合であって、かつ負荷追従用ボイラの増加後の台数が所定のボイラ台数を超えない場合に、前記ボイラ群の負荷追従用ボイラに設定されていないボイラの中でいずれかのボイラを負荷追従用ボイラとして新たに設定することが望ましい。
【０００８】
また、前記第１判定部は、さらに、前記最大変動量が、前記負荷追従用ボイラから優先順位が最下位の負荷追従用ボイラを除く負荷追従用ボイラの負荷追従変動可能量を下回るか、又は前記負荷追従変動可能量以下となる状態が発生したか否かを判定し、負荷追従用ボイラ台数制御部は、さらに、前記第１判定部により、前記最大変動量が前記負荷追従変動可能量を下回るか、又は前記負荷追従変動可能量以下となる状態が発生したと判定した場合であって、前記ボイラ群に含まれる負荷追従用ボイラの台数が２以上の場合、前記負荷追従用ボイラから選択された１台のボイラから負荷追従用ボイラとしての設定を外し、前記燃焼優先順位変更制御部は、さらに、前記負荷追従用ボイラ台数制御部により、負荷追従用ボイラの台数を減少させる場合、前記ボイラ群の前記複数の段階値制御ボイラの燃焼優先順位を変更することが望ましい。
【０００９】
また、前記負荷追従用ボイラが、高燃焼位置、低燃焼位置、燃焼停止位置の３位置制御ボイラの場合、前記負荷追従変動可能量は、前記負荷追従用ボイラの前記高燃焼位置における出力蒸気量と前記低燃焼位置における出力蒸気量との差分であることが望ましい。
【００１０】
また、前記負荷追従用ボイラが、高燃焼位置、中燃焼位置、低燃焼位置、燃焼停止位置の４位置制御ボイラの場合、前記負荷追従変動可能量は、前記負荷追従用ボイラの前記中燃焼位置における出力蒸気量と前記低燃焼位置における出力蒸気量との差分であることが望ましい。
【００１１】
本発明は、段階的な複数の燃焼位置で燃焼可能な、複数の段階値制御ボイラからなるボイラ群と、前記ボイラ群において生成された蒸気を集合させる蒸気ヘッダと、前記蒸気ヘッダの内部の蒸気圧に基づいて要求負荷に応じた前記ボイラ群の必要蒸気量を算出し、該算出された必要蒸気量に基づいて前記複数の段階値制御ボイラの燃焼状態を制御する制御部と、を備えるボイラシステムであって、前記制御部は、前記ボイラ群の前記複数の段階値制御ボイラそれぞれにおける前記複数の燃焼位置に燃焼優先順位を予め設定する燃焼優先順位初期設定部と、前記ボイラ群の台数制御始動時に、少なくとも１台の段階値制御ボイラを、燃焼を停止することなく燃焼量の減少を可能とする負荷追従用ボイラとして設定する負荷追従用ボイラ初期設定部と、特定のボイラにおいて所定時間内に燃焼及び停止（ボイラの発停）を所定回数繰り返す状態が発生したか否かを判定する第２判定部と、前記第２判定部により、前記状態が発生したと判定した場合、負荷追従用ボイラの台数を増加させる負荷追従用ボイラ台数制御部と、前記負荷追従用ボイラ台数制御部により、負荷追従用ボイラの台数を増加させる場合、前記ボイラ群の前記複数の段階値制御ボイラの燃焼優先順位を変更する燃焼優先順位変更制御部と、を備えるボイラシステムに関する。
【００１２】
また、前記負荷追従用ボイラ台数制御部は、さらに、前記第２判定部により、特定のボイラにおいて所定時間内に燃焼及び停止を所定回数繰り返す状態が発生したと判定した場合であって、かつ負荷追従用ボイラの増加後の台数が所定のボイラ台数を超えない場合に、前記ボイラ群の負荷追従用ボイラに設定されていないボイラの中でいずれかのボイラを負荷追従用ボイラとして新たに設定することが望ましい。
【００１３】
また、前記制御部は、さらに、負荷追従用ボイラとして設定されたボイラが、所定の燃焼位置で燃焼する状態が所定時間以上継続する状態が発生したか否かを判定する第３判定部を備え、前記負荷追従用ボイラ台数制御部は、さらに、前記第３判定部により、前記状態が発生したと判定した場合であって、かつ負荷追従用ボイラの台数が２以上の場合、前記負荷追従用ボイラから選択された１台のボイラから負荷追従用ボイラとしての設定を外し、燃焼優先順位変更制御部は、さらに、前記負荷追従用ボイラ台数制御部により、負荷追従用ボイラの台数を減少させる場合、前記ボイラ群の前記複数の段階値制御ボイラの燃焼優先順位を変更することが望ましい。
【００１４】
また、前記制御部は、さらに、負荷追従用ボイラを所定の燃焼位置において燃焼させたと仮定した場合、又は負荷追従用ボイラを１台増加すると仮定し、当該増加される負荷追従用ボイラを所定の燃焼位置において燃焼させたと仮定した場合に、前記ボイラ群のすべての燃焼中のボイラが最大燃焼位置で燃焼する余力ゼロ状態になるか否かを判断する余力判定部と、前記余力判定部が余力ゼロ状態になると判定した場合、前記ボイラ群のうち、燃焼停止ボイラを、最低燃焼位置で燃焼させるボイラとして追加する最低燃焼ボイラ追加部と、を備え、前記燃焼優先順位変更制御部は、さらに前記最低燃焼ボイラ追加部により、燃焼停止ボイラを最低燃焼位置で燃焼させるボイラとして追加する場合、前記ボイラ群の前記複数の段階値制御ボイラの燃焼優先順位を変更することが望ましい。
【発明の効果】
【００１５】
本発明によれば、負荷が減少した場合に中燃焼位置又は高燃焼位置で燃焼しているボイラを最低燃焼位置（低燃焼位置）で燃焼させることで、低負荷状態における負荷変動に対して、システム効率を向上させることができる。
【図面の簡単な説明】
【００１６】
【図１】本発明の本実施形態のボイラシステムの概略を示す図である。
【図２Ａ】第１実施形態における台数制御装置の制御部の機能構成を示すブロック図である。
【図２Ｂ】第２実施形態における台数制御装置の制御部の機能構成を示すブロック図である。
【図３Ａ】ボイラ群が４位置制御ボイラからなる場合のボイラ群の概略を示す図である。
【図３Ｂ】ボイラ群が４位置制御ボイラからなる場合における従来のボイラの燃焼優先順位を示す図である。
【図３Ｃ】ボイラ群が４位置制御ボイラからなる場合の負荷変動に対するボイラの従来の燃焼制御状況を示す図である。
【図４Ａ】本実施形態のボイラ群が４位置制御ボイラからなる場合の負荷変動に対するボイラの燃焼制御状況を示す図である。
【図４Ｂ】本実施形態のボイラ群が４位置制御ボイラからなる場合の負荷変動に対するボイラの燃焼制御状況を示す図である。
【図５Ａ】本実施形態のボイラ群が４位置制御ボイラからなる場合の負荷変動に対するボイラの燃焼制御状況を示す図である。
【図５Ｂ】本実施形態のボイラ群が４位置制御ボイラからなる場合の負荷変動に対するボイラの燃焼制御状況を示す図である。
【図６Ａ】本実施形態のボイラ群が４位置制御ボイラからなる場合の負荷変動に対するボイラの燃焼制御状況を示す図である。
【図６Ｂ】本実施形態のボイラ群が４位置制御ボイラからなる場合の負荷変動に対するボイラの燃焼制御状況を示す図である。
【図７Ａ】ボイラ群が３位置制御ボイラからなる場合のボイラ群の概略を示す図である。
【図７Ｂ】ボイラ群が３位置制御ボイラからなる場合における従来のボイラの燃焼優先順位を示す図である。
【図７Ｃ】ボイラ群が３位置制御ボイラからなる場合の負荷変動に対するボイラの燃焼状況を示す図である。
【図８】本実施形態のボイラ群が３位置制御ボイラからなる場合の負荷変動に対するボイラの燃焼制御状況を示す図である。
【図９】本実施形態のボイラ群が３位置制御ボイラからなる場合の負荷変動に対するボイラの燃焼制御状況を示す図である。
【図１０】本実施形態のボイラ群が３位置制御ボイラからなる場合の負荷変動に対するボイラの燃焼制御状況を示す図である。
【発明を実施するための形態】
【００１７】
［第１実施形態］
以下、本発明のボイラシステムの好ましい実施形態について、図面を参照しながら説明する。まず、当該実施形態に係るボイラシステム１の全体構成につき、図１を参照しながら説明する。
ボイラシステム１は、図１に示すように、複数（例えば６台）の段階値制御ボイラ２０を含むボイラ群２と、これら複数の段階値制御ボイラ２０において生成された蒸気を集合させる蒸気ヘッダ６と、蒸気ヘッダ６の内部の圧力値（以下「ヘッダ圧力値」ともいう）を測定する蒸気圧センサ７と、ボイラ群２の燃焼状態を制御する制御部４を有する台数制御装置３と、を備える。
ボイラ群２は、負荷機器としての蒸気使用設備１８に供給する蒸気を発生する。
【００１８】
複数の段階値制御ボイラ２０のそれぞれは、燃焼が行われるボイラ本体２１と、段階値制御ボイラ２０の燃焼位置を制御するローカル制御部２２と、を備える。ボイラ本体２１は、水管やバーナを備え、図示せぬ水源（給水タンク）から供給された缶水を水管内で加熱し、蒸気を生成する。
【００１９】
ローカル制御部２２は、段階値制御ボイラ２０の燃焼位置を変更させる。具体的には、ローカル制御部２２は、信号線１６を介して台数制御装置３から送信される台数制御信号に基づいて、段階値制御ボイラ２０の燃焼位置を制御する。また、ローカル制御部２２は、台数制御装置３で用いられる信号を、信号線１６を介して台数制御装置３に送信する。台数制御装置３で用いられる信号としては、段階値制御ボイラ２０の実際の燃焼位置、及びその他のデータ等が挙げられる。
【００２０】
蒸気ヘッダ６は、蒸気管１１を介してボイラ群２を構成する複数の段階値制御ボイラ２０に接続されている。蒸気ヘッダ６の下流側は、蒸気管１２を介して蒸気使用設備１８に接続されている。
【００２１】
蒸気ヘッダ６は、ボイラ群２で生成された蒸気を集合させて貯留する。蒸気ヘッダ６は、燃焼させる１又は複数の段階値制御ボイラ２０の相互の圧力差及び圧力変動を調整し、蒸気圧力値が一定に調整された蒸気を蒸気使用設備１８に供給する。
【００２２】
蒸気圧センサ７は、信号線１３を介して、台数制御装置３に電気的に接続されている。蒸気圧センサ７は、蒸気ヘッダ６の蒸気圧力値（以下、「ヘッダ圧力値」ともいう）を測定し、その蒸気圧力値に対応する蒸気圧信号を、信号線１３を介して台数制御装置３に送信する。
【００２３】
台数制御装置３は、信号線１６を介して、複数の段階値制御ボイラ２０と電気的に接続されている。台数制御装置３は、蒸気圧センサ７により測定されるヘッダ圧力値に基づいて要求負荷に応じたボイラ群２の必要蒸気量を算出し、該算出された必要蒸気量に基づいて、段階値制御ボイラ２０の燃焼状態（燃焼位置）を制御する。
【００２４】
次に、ボイラシステム１を構成する複数の段階値制御ボイラ２０について説明する。
［仮想ボイラ］
一般に、段階値制御ボイラ２０の燃焼又はその停止は、仮想ボイラ単位で扱うことができる。仮想ボイラとは、ボイラにおける燃焼位置（燃焼量）の違い（例えば、低燃焼位置、中燃焼位置、高燃焼位置等）をそれぞれ独立したボイラとみなし、それぞれの燃焼位置における燃焼量とその１段階下位の燃焼位置における燃焼量との差分をボイラに仮想したものである。
【００２５】
例えば、段階値制御ボイラ２０の燃焼位置が、燃焼停止位置（第１燃焼位置）、低燃焼位置Ｌ（第２燃焼位置）、高燃焼位置Ｈ（第３燃焼位置）となる３位置制御ボイラの場合、低燃焼量ボイラ、（高燃焼量−低燃焼量）ボイラの２台の仮想ボイラからなるとすることができる。３位置制御ボイラを低燃焼位置で燃焼させる場合、低燃焼量ボイラに対して燃焼指示を行い、他方、（高燃焼量−低燃焼量）ボイラに対しては燃焼停止指示を行っていると制御上扱うことができる。
【００２６】
また、段階値制御ボイラ２０の燃焼位置が、燃焼停止位置（第１燃焼位置）、低燃焼位置Ｌ（第２燃焼位置）、中燃焼位置Ｍ（第３燃焼位置）、高燃焼位置Ｈ（第４燃焼位置）である４位置制御ボイラの場合、低燃焼量ボイラ、（中燃焼量−低燃焼量）ボイラ、（高燃焼量−中燃焼量）ボイラの３台の仮想ボイラからなるとすることができる。４位置制御ボイラを低燃焼位置で燃焼させる場合、低燃焼量ボイラに対して燃焼指示を行い、他方、（中燃焼量−低燃焼量）ボイラ、及び（高燃焼量−中燃焼量）ボイラに対しては燃焼停止指示を行っていると制御上扱うことができる。
【００２７】
段階値制御ボイラ２０の燃焼位置がＮ位置（Ｎ≧５）の場合（複数の中燃焼位置を有するＮ位置制御ボイラの場合）も同様に、Ｎ位置制御ボイラの燃焼又はその停止は仮想ボイラ単位で扱うことができる。
【００２８】
また、各段階値制御ボイラ２０のボイラ容量、燃焼位置の段階数等が、各段階値制御ボイラ２０のそれぞれで異なることとしてもよい。この場合も、各段階値制御ボイラ２０を仮想ボイラ単位で扱うことができる。
以上のように、段階値制御ボイラ２０からなるボイラ群に対して、燃焼指示や燃焼停止指示を行うボイラ及びその燃焼位置を選択する場合、仮想ボイラ単位で設定することができる。
【００２９】
［燃焼優先順位］
ボイラ群２の各ボイラ２０には、それぞれ各ボイラ２０の燃焼位置の燃焼順序となる優先順位を設定することができる。段階値制御ボイラ２０に対する優先順位は、段階値制御ボイラ２０の燃焼位置毎、すなわち仮想ボイラ毎に設定することができる。以下、ボイラ２０の燃焼位置毎、すなわち仮想ボイラ毎に設定される優先順位を「燃焼優先順位」ともいう。
台数制御装置３（制御部４）は、燃焼優先順位が高い段階値制御ボイラ２０（の燃焼位置又は仮想ボイラ）から順に燃焼させる。
なお、燃焼を停止する場合は、燃焼優先順位とは関係なく、高い燃焼位置で燃焼しているボイラを優先して、当該高い燃焼位置での燃焼を停止させる。例えば、中燃焼位置で燃焼するボイラと低燃焼位置で燃焼しているボイラがある場合、中燃焼位置で燃焼するボイラを低燃焼位置で燃焼するように制御する。仮想ボイラでいうと、（中燃焼量−低燃焼量）ボイラを停止させる。
また、中燃焼位置で燃焼しているボイラが複数ある場合、燃焼優先順位の低いボイラ（の燃焼位置又は仮想ボイラ）から順に燃焼を停止する。仮想ボイラでいうと、燃焼優先順位の低い（中燃焼量−低燃焼量）ボイラを停止させる。
以下、第１実施形態では、特に断らない限り、段階値制御ボイラ２０は４位置制御ボイラを指すものとする。
【００３０】
次に、台数制御装置３の構成について説明する。台数制御装置３は、図１に示すように、制御手段としての制御部４と、記憶部５と、を備える。
【００３１】
制御部４は、信号線１６を介して各ボイラ２０に各種の指示を送信したり、各ボイラ２０から各種のデータを受信したりして、段階値制御ボイラ２０の制御を実行する。より具体的には、制御部４は、ヘッダ圧力値に基づいて算出された必要蒸気量、各ボイラ２０の燃焼優先順位に基づいて、各ボイラ２０の燃焼位置を制御する。各ボイラ２０は、台数制御装置３から燃焼状態の変更指示の信号を受けると、その指示に従って該当するボイラ２０の燃焼量を制御する。制御部４の詳細な構成については後述する。
【００３２】
記憶部５は、台数制御装置３（制御部４）の制御により各段階値制御ボイラ２０に対して行われた指示の内容や、各段階値制御ボイラ２０から受信した燃焼位置等の情報、燃焼優先順位の設定情報、燃焼優先順位の変更に関する設定の情報を記憶する。
記憶部５は、後述する負荷追従用ボイラ初期設定部４１及び負荷追従用ボイラ台数制御部４４により設定又は増減されることで変更された負荷追従用ボイラの情報を記憶する。
記憶部５は、後述する燃焼優先順位初期設定部４２及び燃焼優先順位変更制御部４５により設定又は変更された、ボイラ群２の複数の段階値制御ボイラ２０の燃焼優先順位の情報を記憶する。
また、記憶部５は、後述する第１判定時間、第２判定時間、第３判定時間、第２判定回数、第１閾値等の情報を記憶してもよい。
【００３３】
制御部４の構成について、詳細に説明する。
制御部４は、ボイラ群２が低負荷状態の場合の負荷変動への追従処理として、燃焼を停止することなく燃焼量の減少が可能なボイラ（後述の「負荷追従用ボイラ」)を確保することにより、負荷変動への追従処理を行う。
【００３４】
具体的には、段階値制御ボイラが４位置制御ボイラの場合、負荷減少に対しては、中燃焼位置で燃焼させている中燃焼ボイラ（負荷追従用ボイラ）を低燃焼位置で燃焼させ、負荷増加に対しては低燃焼位置で燃焼させている負荷追従用ボイラを中燃焼位置で燃焼させるように制御する。
そうすることで、例えば低負荷状態での負荷変動に対し、ボイラの発停による負荷追従から、燃焼位置の高低による負荷追従に切り換えることができ、ボイラ発停が過多になることを抑制し、低負荷状態におけるボイラシステム２の効率を向上させることができる。
【００３５】
このような制御を実現するため、図２に示すように、制御部４は、負荷追従用ボイラ初期設定部４１と、燃焼優先順位初期設定部４２と、第１判定部４３と、第２判定部４４と、第３判定部４５と、負荷追従用ボイラ台数制御部４６と、燃焼優先順位変更制御部４７と、を含んで構成される。
まず、制御部４の各機能部を説明する際に必要な用語について説明する。
【００３６】
［低燃焼ボイラ、中燃焼ボイラ、高燃焼ボイラ等について］
段階値制御ボイラ２０において、低燃焼位置で燃焼するボイラを簡単のため、低燃焼ボイラという。同様に、中燃焼位置で燃焼するボイラ、及び高燃焼位置で燃焼するボイラを、それぞれ中燃焼ボイラ及び高燃焼ボイラという。
【００３７】
［負荷追従用ボイラについて］
負荷追従用ボイラとは、燃焼を停止することなく燃焼量の減少が可能なボイラを意味する。４位置制御ボイラの場合、高燃焼ボイラは除外するものとする。
【００３８】
［負荷追従用ボイラの確保、追加、増加について］
負荷追従用ボイラを確保する、追加する、又は増加するとは、負荷追従用ボイラに設定されていないボイラの中で最も優先順位の高いボイラ２０を負荷追従用ボイラとして選択するとともに、負荷増加に対して当該ボイラを所定の燃焼位置で燃焼させることをいう。したがって、例えば、４位置制御ボイラの場合、負荷追従用ボイラを確保する、追加する、又は増加するとは、負荷追従用ボイラに設定されていないボイラの中で最も優先順位の高いボイラ２０を負荷追従用ボイラとして選択するとともに、負荷増加に対して当該ボイラを中燃焼位置で燃焼させることをいう。
本実施形態においては、ボイラシステム２が、低燃焼ボイラを数多く確保するように燃焼優先順位が初期設定されている場合であっても、燃焼優先順位を動的に変更して、負荷追従用ボイラ台数を確保する、すなわち負荷追従用ボイラに設定されていないボイラの中で最も優先順位の高いボイラ２０を所定の燃焼位置で燃焼させることを優先する。
【００３９】
［負荷追従用ボイラの確保後、追加後、増加後の負荷減少について］
負荷追従用ボイラを確保、追加、又は増加した後に、負荷が減少した場合には、負荷追従用ボイラの燃焼を所定の燃焼位置から低燃焼位置の燃焼に変更させることで、負荷追従する。
これは、前述したように、ボイラシステム２において、高い燃焼位置で燃焼しているボイラを優先して、当該高い燃焼位置での燃焼を停止させるように制御されることに基づく。例えば、中燃焼位置で燃焼するボイラと低燃焼位置で燃焼しているボイラがある場合、中燃焼位置で燃焼するボイラを低燃焼位置で燃焼するように制御することに基づく。
このように、低負荷状態での負荷変動に対して、低燃焼ボイラの発停ではなく、負荷追従用ボイラの燃焼位置を変更することにより、負荷追従することが可能となる。
【００４０】
［最大変動量について］
予め設定された所定時間（例えば、後述の［第１判定時間］）内における、ボイラ群２のすべての燃焼中のボイラ２０が出力した出力蒸気量の最大値と最小値との差を当該所定時間における最大変動量という。例えば、所定時間内に燃焼中のボイラ２０が２台で、ある時点で高燃焼ボイラ１台、低燃焼ボイラ１台の状態となり、別の時点で低燃焼ボイラ２台の状態となった場合、当該所定時間における最大変動量は、高燃焼位置で燃焼する場合の出力蒸気量と低燃焼位置における出力蒸気量との差となる。
【００４１】
［負荷追従変動可能量について］
負荷追従変動可能量とは、特に断らない限り、ボイラ群２において負荷追従用ボイラとして設定された全てのボイラ２０について、所定の燃焼位置における出力蒸気量と最低燃焼位置における出力蒸気量との差分（「負荷追従用ボイラの変動可能量」ともいう）を合計した蒸気量（以下「負荷追従変動可能量上限値」ともいう）を意味する。
段階値制御ボイラ２０が４位置制御ボイラの場合、所定の燃焼位置は中燃焼位置に、最低燃焼位置は低燃焼位置に対応するものとする。
【００４２】
なお、負荷追従用ボイラが複数台ある場合に、これらのボイラから優先順位が最下位の負荷追従用ボイラを除く負荷追従用ボイラについて、負荷追従用ボイラの変動可能量を合計した蒸気量を、特に「優先順位が最下位の負荷追従用ボイラを除く負荷追従用ボイラの負荷追従変動可能量の合計」又は「負荷追従変動可能量下限値」ともいう。
次に、各機能部を説明する。
【００４３】
＜負荷追従用ボイラ初期設定部４１＞
負荷追従用ボイラ初期設定部４１は、ボイラ群２の台数制御始動時に、少なくとも１台の段階値制御ボイラを、燃焼を停止することなく燃焼量の減少を可能とする負荷追従用ボイラとして初期設定する。例えば、負荷追従用ボイラ初期設定部４１は、１号機のボイラを負荷追従用ボイラとして初期設定することができる。
そうすることで、負荷追従用ボイラを確保する場合に、前記負荷追従用ボイラとして初期設定されたボイラを負荷追従用ボイラとして確保、すなわち中燃焼（４位置制御ボイラの場合）で燃焼させることができる。
【００４４】
＜燃焼優先順位初期設定部４２＞
燃焼優先順位初期設定部４２は、ボイラ群２の台数制御始動時（例えば、初起動時、全台待機からの燃焼開始時等）に、負荷追従用ボイラ初期設定部４１により負荷追従用ボイラが初期設定されることに基づいて、ボイラ群２に含まれる複数の段階値制御ボイラ２０それぞれにおける複数の燃焼位置に燃焼優先順位を初期設定する。すなわち、燃焼優先順位初期設定部４２は、ボイラ群２に含まれる全ての仮想ボイラに燃焼優先順位を初期設定する。より具体的には、負荷追従用ボイラとして初期設定されたボイラの中燃焼位置を２番目の燃焼優先順位となるように、複数の段階値制御ボイラ２０それぞれにおける複数の燃焼位置に燃焼優先順位を初期設定する。
そうすることで、ボイラ群２は、ボイラ群２の台数制御始動時に燃焼優先順位初期設定部４２により初期設定された仮想ボイラの燃焼優先順位にしたがって、燃焼制御される。
【００４５】
＜第１判定部４３＞
第１判定部４３は、予め設定された第１判定時間内におけるボイラ群２の最大変動量が、負荷追従用ボイラとして設定された全てのボイラの負荷追従変動可能量の合計（負荷追従変動可能量上限値）を上回るか、又は負荷追従変動可能量上限値以上となる状態（「第１の状態」ともいう）が発生したか、否かを判定する。
例えば、第１判定時間を５分とした場合、判定時点の５分前から判定時点までの間におけるボイラ群２の最大変動量が、ボイラ群２の負荷追従変動可能量上限値を上回るか、又は負荷追従変動可能量上限値以上となる状態が発生したか否かを判定する。
【００４６】
また、第１判定部４３は、予め設定された第１判定時間内におけるボイラ群２の最大変動量が、優先順位が最下位の負荷追従用ボイラを除く負荷追従用ボイラの負荷追従変動可能量の合計（負荷追従変動可能量下限値）を下回るか、又は負荷追従変動可能量下限値以下となる状態が発生したか、否かを判定する。
例えば、第１判定時間を５分とした場合、判定時点の５分前から判定時点までの間における、ボイラ群２の最大変動量が、ボイラ群２の負荷追従変動可能量下限値を下回るか、又は負荷追従変動可能量下限値以下となる状態が発生したか、否かを判定する。
【００４７】
＜第２判定部４４＞
第２判定部４４は、ボイラ群２の特定のボイラ２０が、予め設定された第２判定時間内に、燃焼及び停止（いわゆるボイラの発停）を予め設定された第２判定回数繰り返す状態（「第２の状態」ともいう）が発生したか否かを判定する。
【００４８】
＜第３判定部４５＞
第３判定部４５は、負荷追従用ボイラ台数が過剰に確保されている場合、すなわち負荷が減少しても負荷追従用ボイラが残ったまま、本来低燃焼に移行すべきボイラが所定の燃焼位置で燃焼する状態が予め設定された第３判定時間以上継続する状態（「第３の状態」ともいう）が発生したか否かを判定する。
【００４９】
＜負荷追従用ボイラ台数制御部４６＞
負荷追従用ボイラ台数制御部４６は、次の条件を満足する場合に、負荷追従用ボイラを確保、追加、又は増加させるように制御する。
なお、次の条件を満足する場合であっても、直ちに負荷追従用ボイラを追加又は増加させるのではなく、負荷追従用ボイラ台数制御部４６により、前に負荷追従用ボイラの台数を変化させてから予め設定された所定時間が経過するまでは、負荷追従用ボイラを追加又は増加させないように、遅延時間を設けることが望ましい。
そうすることで、最大変動量に応じて、負荷追従用ボイラ台数が頻繁に変化することを避けることができる。
【００５０】
（ケースその１）
第１判定部４３により、予め設定された第１判定時間内におけるボイラ群２の最大変動量が負荷追従変動可能量上限値を上回るか、又は負荷追従変動可能量上限値以上となる状態が発生したと判定した場合であって、かつ負荷追従用ボイラの台数が予め設定されている第１閾値を超えない場合に、負荷追従用ボイラ台数制御部４６は、ボイラ群２の負荷追従用ボイラに設定されていないボイラの中で最も優先順位の高いボイラ２０を負荷追従用ボイラとして確保又は追加する。
より具体的には、負荷追従用ボイラ台数制御部４６は、１台のボイラが負荷追従用ボイラとして初期設定された状態の場合、初期設定された当該負荷追従用ボイラを負荷追従用ボイラとして確保する。
また、負荷追従用ボイラが少なくとも１台既に確保されている場合、ボイラ群２の負荷追従用ボイラに設定されていないボイラの中で最も優先順位の高いボイラ２０を負荷追従用ボイラとして追加する。
【００５１】
（ケースその２）
第２判定部４４により、第２判定時間内に、ボイラ群２の特定のボイラ２０が、燃焼及び停止（いわゆるボイラの発停）を第２判定回数繰り返す状態が発生したと判定した場合であって、かつ負荷追従用ボイラの台数が予め設定されている第１閾値を超えない場合に、負荷追従用ボイラ台数制御部４６は、（ケースその１）と同様に、ボイラ群２の負荷追従用ボイラに設定されていないボイラの中で最も優先順位の高いボイラ２０を負荷追従用ボイラとして確保又は追加する。
【００５２】
また、負荷追従用ボイラ台数制御部４６は、次のそれぞれの場合に、負荷追従用ボイラの台数を減少させるように制御する。より具体的には、負荷追従用ボイラを低燃焼ボイラとする。
なお、次の場合であっても、直ちに負荷追従用ボイラの台数を減少させるのではなく、負荷追従用ボイラ台数制御部４６により、前に負荷追従用ボイラの台数を変化させてから予め設定された所定時間が経過するまでは、負荷追従用ボイラの台数を減少させないように、遅延時間を設定することが望ましい。
そうすることで、最大変動量に応じて、負荷追従用ボイラ台数が頻繁に変化することを避けることができる。
【００５３】
（ケースその１）
第１判定部４３により、予め設定された第１判定時間内におけるボイラ群２の最大変動量が負荷追従変動可能量下限値を下回るか、又は負荷追従変動可能量下限値以下となる状態が発生したと判定した場合であって、且つボイラ群２に含まれる負荷追従用ボイラの台数が２以上の場合、負荷追従用ボイラ台数制御部４６は、負荷追従用ボイラから選択された１台のボイラ２０から負荷追従用ボイラとしての設定を外し、負荷追従用ボイラ台数を減少させる。
【００５４】
（ケースその２）
第３判定部４５により、本来低燃焼ボイラとなるべきボイラが負荷追従用ボイラとして選択され、所定の燃焼位置（３位置ボイラの場合高燃焼位置、４位置制御ボイラの場合中燃焼位置）で燃焼する状態が予め設定された第３判定時間以上継続する状態が発生したと判定した場合であって、かつ負荷追従用ボイラの台数が２以上の場合、負荷追従用ボイラ台数制御部４６は、負荷追従用ボイラから選択された１台のボイラから負荷追従用ボイラとしての設定を外し、負荷追従用ボイラ台数を減少させるように制御する。
【００５５】
＜燃焼優先順位変更制御部４７＞
燃焼優先順位変更制御部４７は、負荷追従用ボイラ台数制御部４６により負荷追従用ボイラを確保、追加、又は増加する場合、負荷追従用ボイラの台数を減少させる場合、ボイラ群２の複数の段階値制御ボイラ２０の燃焼優先順位を変更する。
【００５６】
具体的には、負荷追従用ボイラを確保、追加、又は増加する場合、燃焼優先順位変更制御部４７は、負荷追従用ボイラとして確保、追加、又は増加したボイラ２０の所定の燃焼位置の燃焼優先順位を高くなるように変更する。そうすることで、負荷増加に対して負荷追従用ボイラの所定の燃焼位置を速やかに燃焼することができる。
なお、前述したように、負荷減少時には、中燃焼位置で燃焼しているボイラすなわち、負荷追従用ボイラの中燃焼位置の燃焼を低燃焼ボイラよりも優先して燃焼停止させることから、負荷追従用ボイラの最低燃焼位置と所定の燃焼位置の切替により、必要蒸気量の変動に対して追従することができる。
【００５７】
また、負荷追従用ボイラの台数を減少させる場合、燃焼優先順位変更制御部４７は、負荷追従用ボイラとしての設定を外されたボイラ２０の所定の燃焼位置の燃焼優先順位を、他の低燃焼ボイラ２０の最低燃焼位置よりも低い燃焼優先順位になるように変更する。
そうすることで、負荷追従用ボイラでなくなったボイラの中燃焼位置を優先して燃焼させることがないようにできる。
【００５８】
次に、第１実施形態のボイラシステム１の動作について説明する。図３Ａ〜図６Ｂは、ボイラ群が４位置制御ボイラからなる場合の動作を示す図である。
【００５９】
＜４位置制御ボイラ群の場合＞
まず、図３Ａ〜図６Ｂを参照して、ボイラ群２のボイラ２０が４位置制御ボイラの場合のボイラシステム１の燃焼制御動作（特に低負荷状態での動作）について、従来の燃焼制御を行った場合と比較しながら、説明する。
【００６０】
図３Ａに示すように、各段階値制御ボイラ２０の低燃焼位置Ｌにおける燃焼量は６００ｋｇ／ｈ、中燃焼位置Ｍにおける燃焼量は１３５０ｋｇ／ｈ、高燃焼位置Ｈにおける燃焼量（最大出力蒸気量）は３０００ｋｇ／ｈとする。
図３Ｂに記載の仮想ボイラの燃焼優先順位は、エコ運転ポイントが低燃焼位置である場合の燃焼優先順位となっている。
このような場合、例えば、必要蒸気量が１８００ｋｇ／ｈ〜２４００ｋｇ／ｈの範囲内で変動するような低負荷状態における負荷変動に対しては、図３Ｃに示すように、負荷減少に対しては低燃焼ボイラを待機状態として、負荷増加に対しては待機ボイラを低燃焼ボイラにするといった、４号機の燃焼と待機（いわゆるボイラ発停）でしか追従することができない。このため、ボイラ発停が多く発生することとなり、ボイラ部品消耗等の問題が発生する恐れがある。
【００６１】
これに対して、本実施形態に係る燃焼制御を実施した場合、台数制御始動時に、負荷追従用ボイラ初期設定部４１は、１号機のボイラを負荷追従用ボイラとして初期設定する。
【００６２】
そうすると、燃焼優先順位は図４Ａの（Ａ）に示すように負荷追従用ボイラである１号機の中燃焼位置が２号機、３号機の低燃焼位置の燃焼優先順位よりも高く設定される。
そうすると、図４Ａの（Ｃ）に示すように、必要蒸気量が１３５０ｋｇ／ｈとなった場合には、１号機の中燃焼位置を燃焼させる。その後、必要蒸気量が、１９５０ｋｇ／ｈとなった場合には、図４Ａの（Ｄ）に示すように、２号機の低燃焼位置を燃焼させる。さらに、必要蒸気量が、２５５０ｋｇ／ｈとなった場合には、図４Ａの（Ｅ）に示すように、３号機の低燃焼位置を燃焼させる。その後、必要蒸気量が２５５０ｋｇ／ｈから１８００ｋｇ／ｈに減少すると、図４Ａの（Ｆ）−＞（Ｇ）に示すように、中燃焼位置での燃焼が低燃焼位置での燃焼よりも優先して停止させられる。逆に、必要蒸気量が１８００ｋｇ／ｈから２５５０ｋｇ／ｈに増加すると、図４Ａの（Ｇ）−＞（Ｆ）に示すように、燃焼優先順位に基づいて、１号機の中燃焼位置を燃焼させる。このようにして、１号機の低燃焼位置（Ｌ）と中燃焼位置（Ｍ）の切替により、必要蒸気量の変動に対して追従することができ、ボイラ発停を抑制することが可能となる。
【００６３】
次に、図５Ａ及び図５Ｂを参照して、必要蒸気量が１８００ｋｇ／ｈ〜３３００ｋｇ／ｈの範囲内で変動する場合において、負荷追従用ボイラの台数を１台から２台に増加させる場合について説明する。
【００６４】
図５Ａの（Ａ）及び（Ｂ）を参照すると、最初は、１号機が負荷追従用ボイラとして設定されている。その後、必要蒸気量が１８００ｋｇ／ｈから３１５０ｋｇ／ｈに変動する場合に、１号機の低燃焼位置（Ｌ）と中燃焼位置（Ｍ）の切替及び４号機の低燃焼位置の燃焼により、必要蒸気量の変動に対して追従する。
この場合の負荷追従変動可能量上限値は、７５０ｋｇ／ｈとなる。
【００６５】
これに対して、例えば、第１判定時間内（例えば５分前から現在までの間）に、出力蒸気量が１８００ｋｇ／ｈから３１５０ｋｇ／ｈの範囲内で変動した場合、第１判定部４３は、第１判定時間内におけるボイラ群２の最大変動量１３５０ｋｇ／ｈ（＝３１５０ｋｇ／ｈ−１８００ｋｇ／ｈ）が、負荷追従変動可能量上限値（７５０ｋｇ／ｈ）を上回ると判定する。
負荷追従用ボイラ台数制御部４６は負荷追従用ボイラの台数を増加させるように制御する。より具体的には、２号機を負荷追従用ボイラとして追加して中燃焼位置において燃焼させることとなる。
燃焼優先順位変更制御部４７は、図５Ａの（Ｃ）に示すように、負荷追従用ボイラとして追加された２号機の中燃焼位置の燃焼優先順位を、３号機の低燃焼位置の燃焼優先順位よりも高く設定する。
そうすることで、図５Ｂの（Ｅ）及び（Ｆ）に示すように、必要蒸気量が１８００ｋｇ／ｈ〜３３００ｋｇ／ｈの範囲内で変動する場合に、２号機における低燃焼位置（Ｌ）と中燃焼位置（Ｍ）の切替、及び１号機における低燃焼位置（Ｌ）と中燃焼位置（Ｍ）の切替により、必要蒸気量の変動に対して追従することができる。
【００６６】
次に、図６Ａ及び図６Ｂを参照して、必要蒸気量が１８００ｋｇ／ｈ〜２５５０ｋｇ／ｈの範囲内で変動する場合において、負荷追従用ボイラの台数を２台から１台に減少させる場合について説明する。
【００６７】
図６Ａの（Ａ）及び（Ｂ）を参照すると、１号機及び２号機が負荷追従用ボイラとして設定されている。必要蒸気量が１９５０ｋｇ／ｈ〜２７００ｋｇ／ｈの範囲内で変動する場合に、２号機の低燃焼位置（Ｌ）と中燃焼位置（Ｍ）の切替により、必要蒸気量の変動に対して追従することができる。
この場合の負荷追従変動可能量下限値は、７５０ｋｇ／ｈ（＝１５００ｋｇ／ｈ−７５０ｋｇ／ｈ）となる。
【００６８】
これに対して、例えば、第１判定時間内（例えば５分前から現在までの間）に、出力蒸気量が１９５０ｋｇ／ｈから２７００ｋｇ／ｈの範囲内で変動した場合、第１判定部４３は、第１判定時間内におけるボイラ群２の最大変動量７５０ｋｇ／ｈ（＝２７００ｋｇ／ｈ−１９５０ｋｇ／ｈ）が、負荷追従変動可能量下限値（７５０ｋｇ／ｈ）以下と判定する。
したがって、負荷追従用ボイラ台数制御部４６は、負荷追従用ボイラの台数を減少させるように制御する。より具体的には２号機から負荷追従用ボイラとしての設定を外すこととなる。
燃焼優先順位変更制御部４７は、図６Ａの（Ｃ）に示すように、負荷追従用ボイラでなくなった２号機の中燃焼位置の燃焼優先順位を２号機〜６号機の低燃焼位置の燃焼優先順位よりも低く設定する。
そうすることで、図６Ｂの（Ｅ）及び（Ｆ）に示すように、必要蒸気量が１８００ｋｇ／ｈ〜２５５０ｋｇ／ｈの範囲内で変動する場合に、１号機の低燃焼位置（Ｌ）と中燃焼位置（Ｍ）の切替により、必要蒸気量の変動に対して追従することができる。
【００６９】
以上のように、第１実施形態に係るボイラシステム１は、所定時間内にボイラ群２が出力した出力蒸気量の最大変動量が、負荷追従用ボイラとして設定された全てのボイラの負荷追従変動可能量の合計（負荷追従変動可能量上限値）を上回ると判定した場合であって、かつ負荷追従用ボイラの増加後の台数が所定のボイラ台数を超えない場合に、負荷追従用ボイラの台数を増加させる。
これにより、第１実施形態に係るボイラシステム１は、特に低負荷状態での負荷変動に対して、ボイラ２０の発停による負荷追従から、ボイラ２０の燃焼位置の切り替え（低燃焼と中燃焼又は高燃焼）による負荷追従にすることができ、ボイラ発停過多を抑制することができる。そうすることで、特に低負荷時のシステム効率を向上させることができる。
【００７０】
また、第１判定部４３により、最大変動量が、優先順位が最下位の負荷追従用ボイラを除く負荷追従用ボイラの負荷追従変動可能量の合計（負荷追従変動可能量下限値）を上回らないと判定した場合であって、ボイラ群２に含まれる負荷追従用ボイラの台数が２以上の場合、前記負荷追従用ボイラから選択された１台のボイラから負荷追従用ボイラとしての設定を外すことができる。
そうすることで、本来低燃焼となるべきところ、中燃焼又は高燃焼を継続するボイラ２０を低燃焼ボイラに戻すことができる。
【００７１】
また、図５Ａの（Ａ）〜（Ｂ）において、第２判定部４４により、特定のボイラ（４号機）において所定時間内に燃焼及び停止（ボイラの発停）を所定回数繰り返す第２の状態が発生したと判定した場合、負荷追従用ボイラの台数を増加させる。
これにより、第１実施形態に係るボイラシステム１は、特に低負荷状態での負荷変動に対して、ボイラ２０の発停による負荷追従から、ボイラ２０の燃焼位置の切り替え（低燃焼と中燃焼又は高燃焼）による負荷追従にすることができ、ボイラ発停過多を抑制することができる。そうすることで、特に低負荷時のシステム効率を向上させることができる。
【００７２】
以上、第１実施形態の説明においては、段階値制御ボイラを４位置制御ボイラとして説明したが、４位置制御ボイラに限定されない。段階値制御ボイラ２０がＮ位置制御ボイラ（Ｎ≧５）の場合（複数の中燃焼位置を有するＮ位置制御ボイラの場合）にも適用できることは言うまでもない。すなわち、４位置制御ボイラと同様に、Ｎ位置制御ボイラ（Ｎ≧５）において、所定の燃焼位置を中燃焼位置として、当該中燃焼位置で燃焼する中燃焼ボイラをＮ位置制御ボイラ（Ｎ≧５）における負荷追従用ボイラと定義することで、第１実施形態を実施することができる。
【００７３】
［第２実施形態］
次に、ボイラ２０が３位置制御ボイラの場合（第２実施形態）について説明する。
ボイラ２０が３位置制御ボイラの場合については、主として、ボイラ２０が４位置制御ボイラの場合（第１実施形態）と異なる点を中心に説明し、４位置制御ボイラと同様な構成については詳細な説明を省略する。
第２実施形態において、特に説明しない点は、第１実施形態についての説明が適宜適用される。また、第２実施形態においても、第１実施形態と同様な効果が奏される。
【００７４】
［負荷追従用ボイラ］
３位置制御ボイラの場合、負荷追従用ボイラの所定の燃焼位置は高燃焼位置となる。したがって、ボイラ群２が３位置制御ボイラからなる場合、負荷増減に対しては、高燃焼位置で燃焼させている負荷追従用ボイラを低燃焼位置で燃焼させるように制御することで、負荷追従する。負荷追従用ボイラの低燃焼位置（Ｌ）と高燃焼位置（Ｈ）の切替により、必要蒸気量の変動に対して追従する。
また、３位置制御ボイラの場合、負荷追従用ボイラを確保、追加、又は増加するとは、負荷追従用ボイラに設定されていないボイラの中で最も優先順位の高いボイラを負荷追従用ボイラとして選択するとともに、負荷増加に対して当該ボイラを高燃焼位置で燃焼させることをいう。
【００７５】
［余力蒸気量について］
一般に、Ｎ位置制御ボイラにおいて、燃焼中のボイラ２０が、高燃焼位置で燃焼する場合の蒸気量と現在の燃焼位置における出力蒸気量との差を余力蒸気量という。
段階値制御ボイラ２０が３位置制御ボイラの場合、燃焼中のボイラ２０が、低燃焼ボイラとすると、余力蒸気量は、高燃焼位置で燃焼する場合の出力蒸気量と低燃焼位置における出力蒸気量との差となる。したがって、３位置制御ボイラにおいては、負荷追従用ボイラを確保、追加、又は増加すると、当該負荷追従用ボイラの余力蒸気量はゼロとなる。
【００７６】
＜制御部４Ａの構成＞
次に、３位置制御ボイラに対応する制御部４Ａの詳細な構成について説明する。図２Ｂに示すように、制御部４Ａは、負荷追従用ボイラ初期設定部４１と、燃焼優先順位初期設定部４２と、第１判定部４３と、第２判定部４４と、第３判定部４５と、負荷追従用ボイラ台数制御部４６Ａと、燃焼優先順位変更制御部４７と、余力判定部４８と、最低燃焼ボイラ追加部４９と、を含んで構成される。
【００７７】
負荷追従用ボイラ初期設定部４１、燃焼優先順位初期設定部４２、第１判定部４３、第２判定部４４、第３判定部４５、及び燃焼優先順位変更制御部４７の機能は、それぞれ第１実施形態（４位置制御ボイラ）における負荷追従用ボイラ初期設定部４１、燃焼優先順位初期設定部４２、第１判定部４３、第２判定部４４、及び第３判定部４５の機能と同じである。
次に、３位置ボイラに特有の余力判定部４８と、最低燃焼ボイラ追加部４９について説明する。
【００７８】
＜余力判定部４８＞
余力判定部４８は、負荷追従用ボイラとして設定されるボイラ２０を全て高燃焼位置で燃焼させると仮定した場合に、ボイラ群２のすべての燃焼中のボイラが最大燃焼位置（高燃焼位置）で燃焼する状態（以下「余力ゼロ状態」という）になるか否かを判断する。
【００７９】
所定の燃焼位置を高燃焼位置とする、３位置制御ボイラの場合には、１台のボイラが負荷追従用ボイラとして初期設定されている状態で且つ他のボイラは燃焼停止状態である場合において、負荷追従用ボイラに初期設定されたボイラを負荷追従用ボイラとして確保した場合（すなわち、負荷増加に対して高燃焼位置で燃焼させた場合）に、１台が高燃焼で残りのボイラは全て燃焼停止状態となる。この場合、全ての燃焼中のボイラが最大燃焼位置で燃焼してしまうことになり、燃焼中のボイラから、これ以上燃焼量を増加させることができなくなる。
同様に、負荷追従用ボイラを仮に１台増加させた場合（すなわち、負荷追従用ボイラに設定されていないボイラの中で最も優先順位の高いボイラ２０を負荷追従用ボイラとして選択するとともに、負荷増加に対して当該ボイラを所定の燃焼位置で燃焼させる場合）に、ボイラ群２のすべての燃焼中のボイラが最大燃焼位置（高燃焼位置）で燃焼する状態になると、燃焼中のボイラから、これ以上燃焼量を増加させることができなくなる。そうすると、新たな負荷増加に対して、燃焼停止ボイラを燃焼させなければ負荷に追従できないため、大幅な圧力低下に至る可能性がある。このため、このような事態を避けるために、３位置制御ボイラの場合、余力判定部４８により、余力ゼロ状態になるか否かを判定する。
【００８０】
なお、３位置制御ボイラであっても、ボイラ群２の燃焼待機（又は燃焼停止）状態のボイラ２０が、連続パイロット燃焼状態、又は圧力保持状態のような応答性の高い状態にある場合、余力判定部４８は、当該ボイラ２０の余力を加算することで、余力ゼロ状態でないとすることができる。
ここで、連続パイロット燃焼状態とは、燃料としてガスを用い、パイロットバーナ及びなお、メインバーナを有して構成されるガス焚きボイラにおいて、パイロットバーナを燃焼させることでボイラ２０の内部における未燃ガスの滞留を防ぎ、燃焼指示を受けた場合に速やかにメインバーナに着火可能とされた状態を意味する。
圧力保持状態とは、給蒸は行っていないがボイラ２０の内部の圧力を保持し、燃焼指示を受けた場合に、速やかに給蒸を開始可能とされた状態を意味する。
【００８１】
＜最低燃焼ボイラ追加部４９＞
所定の燃焼位置を高燃焼位置とする、３位置制御ボイラの場合、余力判定部４８が、負荷追従用ボイラとして設定されるボイラ２０を全て高燃焼位置で燃焼させると仮定した場合に、余力ゼロ状態になると判断した場合、最低燃焼ボイラ追加部４９は、ボイラ群２のうち、燃焼停止ボイラを、最低燃焼位置（低燃焼位置）で燃焼させるボイラ２０として追加し、負荷増加に対して当該ボイラ２０を燃焼させるようにする。
そうすることで、ボイラ群２における余力蒸気量を確保することができ、負荷増加に対して、追加したボイラ２０により追従することを可能となる。
【００８２】
また、負荷追従用ボイラ台数制御部４６Ａ、及び燃焼優先順位変更制御部４７Ａには、それぞれ、３位置制御ボイラの場合に特有の例外機能が追加される。
【００８３】
＜負荷追従用ボイラ台数制御部４６Ａと燃焼優先順位変更制御部４７Ａ＞
前述したように、所定の燃焼位置を高燃焼位置とする３位置制御ボイラについては、第１判定部４３により第１の状態が発生したと判定される場合、又は第２判定部４４により第２の状態が発生したと判定される場合であっても、仮に負荷追従用ボイラを確保又は追加させた場合に、余力判定部４８により余力ゼロ状態になると判定した場合、最低燃焼ボイラ追加部４９は、最低燃焼位置（低燃焼位置）で燃焼させるボイラ２０を追加する。
この場合、燃焼優先順位変更制御部４７Ａは、負荷追従用ボイラ台数制御部４６Ａにより負荷追従用ボイラとして確保又は追加するボイラの所定燃焼位置（高燃焼位置）の燃焼優先順位を最低燃焼ボイラ追加部４９により追加されたボイラ２０の低燃焼位置の燃焼優先順位よりも低くなるように設定する。より具体的には、負荷追従用ボイラとして確保又は追加するボイラの高燃焼位置の燃焼優先順位が、最低燃焼ボイラ追加部４９により追加されたボイラ２０の低燃焼位置の燃焼優先順位の次になるように設定される。
そうすることで、負荷増加に対して最低燃焼ボイラ追加部４９により追加されたボイラが先ず低燃焼位置で燃焼することとなる。
そうすると、その後に負荷がさらに増加した場合、負荷追従用ボイラ台数制御部４６Ａにより負荷追従用ボイラとして確保又は追加するボイラの燃焼位置（低燃焼位置と高燃焼位置）の切り替えにより負荷追従することが可能となる。
【００８４】
このように、中燃焼位置を所定の燃焼位置とするＮ位置制御ボイラ（Ｎ≧４）の場合には、第１判定部４３により第１の状態が発生したと判定される場合、又は第２判定部４４により第２の状態が発生したと判定される場合において、負荷追従用ボイラ台数制御部４６は、（確保又は追加後の負荷追従用ボイラの台数が第１閾値を超えない限りにおいて）常に負荷追従用ボイラを確保又は追加し、負荷増加に対して当該負荷追従用ボイラを所定の燃焼位置で燃焼させるように制御する。
これに対して、高燃焼位置（最高燃焼位置）を所定の燃焼位置とする３位置制御ボイラの場合には、第１判定部４３により第１の状態が発生したと判定される場合、又は第２判定部４４により第２の状態が発生したと判定される場合であっても、仮に負荷追従用ボイラを確保又は追加させた場合に、余力判定部４８が余力ゼロ状態になると判定した場合、最低燃焼ボイラ追加部４９により追加された低燃焼ボイラの低燃焼位置の燃焼優先順位が高く設定されることで、負荷増加に対して、先ず最低燃焼ボイラ追加部４９により追加された低燃焼ボイラを燃焼させる。その後に負荷がさらに増加した場合、負荷追従用ボイラ台数制御部４６Ａにより負荷追従用ボイラとして確保又は追加するボイラの燃焼位置（低燃焼位置と高燃焼位置）の切り替えにより負荷追従するように制御される。
【００８５】
次に、第２実施形態（３位置制御ボイラ）のボイラシステム１の動作について説明する。図７Ａ〜図１０は、ボイラ群が３位置制御ボイラからなる場合の動作を示す図である。
【００８６】
＜３位置制御ボイラ群の場合＞
次に、図７Ａ〜図１０を参照して、ボイラ群２のボイラ２０が３位置制御ボイラの場合のボイラシステム１の燃焼制御動作（特に低負荷状態での動作）について、従来の燃焼制御を行った場合と比較しながら、説明する。
【００８７】
図７Ａに示すように、各３位置制御ボイラ２０の低燃焼位置Ｌにおける燃焼量は２５０ｋｇ／ｈ、高燃焼位置Ｈにおける燃焼量（最大出力蒸気量）は１０００ｋｇ／ｈとする。
図７Ｂに記載の仮想ボイラの燃焼優先順位は、エコ運転ポイントが低燃焼位置である場合の燃焼優先順位となっている。
このような場合、例えば、必要蒸気量が５００ｋｇ／ｈ〜１０００ｋｇ／ｈの範囲内で変動するような低負荷状態における負荷変動に対しては、図７Ｃに示すように、負荷減少に対しては低燃焼ボイラを待機状態として、負荷増加に対しては待機ボイラを低燃焼ボイラにするといった、３号機、４号機の燃焼と待機（いわゆるボイラ発停）でしか追従することができない。このため、ボイラ発停が多く発生することとなり、ボイラ部品消耗等の問題が発生する恐れがある。
【００８８】
これに対して、第２実施形態に係る燃焼制御を実施した場合、ボイラ２０の燃焼位置の切り替え（低燃焼と高燃焼）による負荷追従にすることができ、ボイラ発停過多を抑制することができる。そうすることで、特に低負荷時のシステム効率を向上させることができる。
【００８９】
［余力ゼロ状態］
図８を参照して、必要蒸気量が２５０ｋｇ／ｈ〜５００ｋｇ／ｈの範囲内で変動する場合について説明する。なお、台数制御始動時に、負荷追従用ボイラ初期設定部４１は、１号機のボイラを負荷追従用ボイラ候補として設定する。
図８において、２号機は燃焼停止ボイラであって、冷却されたボイラ（冷態ボイラ）であるとする。
【００９０】
図８を参照すると、余力判定部４８は、１号機を負荷追従用ボイラとして高燃焼位置において燃焼させた場合に余力ゼロ状態になると判断する。
このため、最低燃焼ボイラ追加部４９は、ボイラ群２のうち、燃焼停止ボイラである２号機を最低燃焼位置（低燃焼位置）で燃焼させるボイラ２０として追加する。そして、燃焼優先順位変更制御部４７Ａは、２号機の低燃焼位置の燃焼優先順位を負荷追従用ボイラとして確保する１号機の所定燃焼位置（高燃焼位置）の燃焼優先順位よりも高くなるように設定する。
こうすることで、負荷増加に対して先ず２号機の低燃焼位置が燃焼し、１号機の高燃焼位置は、２号機の低燃焼位置の次の優先順位に設定されることから、ボイラシステム１は、余力状態を確保することができる。
【００９１】
その後、例えば、必要蒸気量が５００ｋｇ／ｈ〜１０００ｋｇ／ｈの範囲内で変動する場合、図９の（Ｂ）〜図９の（Ｄ）に示すように、１号機の低燃焼位置（Ｌ）と高燃焼位置（Ｈ）の切替により、必要蒸気量の変動に対して追従することができ、ボイラ発停を抑制することが可能となる。
【００９２】
これに対して、２号機が連続パイロット燃焼状態、又は圧力保持状態のような応答性の高い状態にある場合に、必要蒸気量が２５０ｋｇ／ｈ〜５００ｋｇ／ｈの範囲内で変動する場合の動作を説明する。
図１０には、２号機が連続パイロット燃焼状態、又は圧力保持状態のような応答性の高い状態にある場合を示す。この場合、２号機は、連続パイロット燃焼状態又は圧力保持状態のような応答性の高い状態にあることから、余力判定部４８は、１号機を負荷追従用ボイラとして高燃焼位置において燃焼させた場合であっても余力ゼロ状態にならないと判断する。
このため、負荷追従用ボイラ台数制御部４６は、負荷追従用ボイラを増加するように（すなわち、１号機を高燃焼にするように）制御する。
【００９３】
この後、例えば、必要蒸気量が１０００ｋｇ／ｈを超えた場合には、２号機を低燃焼位置において、燃焼させることで、負荷の増加に追従させることができる。
【００９４】
以上のように、段階値制御ボイラが３位置制御ボイラの場合においても、第１実施形態の場合と同様に、低負荷状態での負荷変動に対して、低燃焼ボイラの発停ではなく、負荷追従用ボイラの燃焼位置を変更することにより、負荷追従することが可能となる。
【００９５】
以上、第２実施形態の説明においては、段階値制御ボイラを３位置制御ボイラとして説明したが、３位置制御ボイラに限定されない。段階値制御ボイラ２０がＮ位置制御ボイラ（Ｎ≧４）の場合（複数の中燃焼位置を有するＮ位置制御ボイラの場合）にも適用することができる。すなわち、Ｎ位置制御ボイラにおいて、負荷追従用ボイラの所定の燃焼位置を高燃焼位置として、当該高燃焼位置で燃焼する高燃焼ボイラをＮ位置制御ボイラ（Ｎ≧５）における負荷追従用ボイラと定義した場合、第２実施形態が全て適用することができる。
【００９６】
以上のように、第２実施形態係るボイラシステム１は、第１実施形態の場合と同様に、特に低負荷状態での負荷変動に対して、ボイラ２０の発停による負荷追従から、ボイラ２０の燃焼位置の切り替え（低燃焼と高燃焼）による負荷追従にすることができ、ボイラ発停過多を抑制することができる。そうすることで、特に低負荷時のシステム効率を向上させることができる。
【００９７】
［変形例１］
第１実施形態及び第２実施形態では、制御部４又は制御部４Ａは、第１判定部４３、第２判定部４４、及び第３判定部４５を備えるとしたが、制御部４は、第１判定部４３を備え、第２判定部４４及び第３判定部４５を備えていない構成としてもよい。こうすることで、負荷追従用ボイラの増減については、第１判定部４３の判定に基づいて行うこととなる。
【００９８】
［変形例２］
逆に、制御部４又は制御部４Ａは、第２判定部４４及び第３判定部４５を備え、第１判定部４３を備えていない構成としてもよい。こうすることで、負荷追従用ボイラの増減については、第２判定部４４及び第３判定部４５の判定に基づいて行うことなる。
【００９９】
［変形例３］
段階値制御ボイラが４位置制御ボイラのように中燃焼位置を備える場合においても、制御部４にかえて、第２実施形態で説明した制御部４Ａに置き換えることは可能である。
すなわち、所定の燃焼位置が中燃焼位置である場合、高燃焼分の余力が存在することから、余力ゼロ状態にはならない。したがって、所定の燃焼位置が中燃焼位置である段階値制御ボイラに対しては、余力判定部４８は、常に余力ゼロ状態ではないと判定する。
同様に、所定の燃焼位置が中燃焼位置である場合、高燃焼分の余力が存在することから、余力ゼロ状態にはならないことから、仮に最低燃焼ボイラ追加部４９を適用した場合であっても、実質的に、４位置制御ボイラのように、所定の燃焼位置が中燃焼位置となる段階値制御ボイラの場合には適用されない。
このように、段階値制御ボイラが４位置制御ボイラのように中燃焼位置を備える場合においても、制御部４を制御部４Ａに置き換えたと仮定しても、３位置制御ボイラ特有の機能が、４位置制御ボイラに対して作用することはない。
したがって、制御部４を制御部４Ａに置き換えることは、形式的に可能である。
【０１００】
［変形例４］
本実施形態では、ボイラ群２は６台の段階値制御ボイラ２０を含むとしたが、これに限定されない。段階値制御ボイラ２０の台数は、適宜設定することができる。
【０１０１】
［変形例５］
本実施形態では、段階値制御ボイラ２０を、６台ともに４位置制御ボイラ又は６台ともに３位置制御のボイラとしたが、これに限定されない。すなわち、本発明の段階値制御ボイラ２０を、３位置制御、４位置制御以外に複数の中燃焼位置を有する５位置制御以上のボイラとしてもよい。また、ボイラ群に含まれる各段階値制御ボイラ２０のボイラ容量、燃焼位置の段階数、及び各燃焼位置における燃焼率等が、各段階値制御ボイラ２０のそれぞれで異なることとしてもよい。
この場合、変形例３で述べたように、制御部４Ａを適用することができる。
【符号の説明】
【０１０２】
１  ボイラシステム
２  ボイラ群
２０  段階値制御ボイラ
３  台数制御装置
４  制御部
４Ａ  制御部
４１  負荷追従用ボイラ初期設定部
４２  燃焼優先順位初期設定部
４３  第１判定部
４４  第２判定部
４５  第３判定部
４６  負荷追従用ボイラ台数制御部
４７  燃焼優先順位変更制御部
４８  余力判定部
４９  最低燃焼ボイラ追加部
５  記憶部
【図１】
0006597341.tif 000002
【図２Ａ】
0006597341.tif 000003
【図２Ｂ】
0006597341.tif 000004
【図３Ａ】
0006597341.tif 000005
【図３Ｂ】
0006597341.tif 000006
【図３Ｃ】
0006597341.tif 000007
【図４Ａ】
0006597341.tif 000008
【図４Ｂ】
0006597341.tif 000009
【図５Ａ】
0006597341.tif 000010
【図５Ｂ】
0006597341.tif 000011
【図６Ａ】
0006597341.tif 000012
【図６Ｂ】
0006597341.tif 000013
【図７Ａ】
0006597341.tif 000014
【図７Ｂ】
0006597341.tif 000015
【図７Ｃ】
0006597341.tif 000016
【図８】
0006597341.tif 000017
【図９】
0006597341.tif 000018
【図１０】
0006597341.tif 000019